(57)【特許請求の範囲】
【請求項１】
文字や画像などを表示する表示手段と、前記表示手段のバックライトとして作用する照射手段とを備えた表示端末において、
前記表示手段の表示面の方位を検出する方位検出手段と、
前記照射手段が前記表示手段を照射する照射レベルを前記方位検出手段が検出した前記表示手段の表示面の方位に基づいて調整する照射レベル調整手段とを備えたことを特徴とする表示端末。
【請求項２】
請求項１記載の表示端末において、
キーを配設してなるキー操作手段と、
本体に配設されたタッチセンサとを備え、
前記照射レベル調整手段は、前記キー操作手段にてキーが操作されたタイミングや、人体が前記タッチセンサに触れたタイミングなどで、前記照射レベルを調整することを特徴とする表示端末。
【請求項３】
請求項１または２記載の表示端末において、
基地局からのページングチャネルを検出するページングチャネル検出手段と、
前記表示手段に静電気対策のためのリフレッシュ動作を行わせるリフレッシュ動作制御手段とを備え、
前記照射レベル調整手段は、前記ページングチャネル検出手段が基地局からのページングチャネルを検出するタイミングや、前記リフレッシュ動作制御手段が前記表示手段に静電気対策のためのリフレッシュ動作を行わせるタイミングなどで、前記照射レベルを調整することを特徴とする表示端末。
【請求項４】
文字や画像などを表示する表示手段と、前記表示手段のバックライトとして作用する照射手段とを備えた表示端末に、
前記照射手段が前記表示手段を照射する照射レベルを方位検出手段が検出した前記表示手段の表示面の方位に基づいて調整する手順を実行させることを特徴とするプログラム。
【請求項５】
請求項４記載のプログラムにおいて、
前記手順を、キー操作手段にてキーが操作されたタイミングや、人体が本体に配設されたタッチセンサに触れたタイミングなどで実行させることを特徴とするプログラム。
【請求項６】
請求項４または５記載のプログラムにおいて、
前記手順を、基地局からのページングチャネルが検出されるタイミングや、前記表示手段が静電気対策のためのリフレッシュ動作を行うタイミングなどで実行させることを特徴とするプログラム。
【発明の詳細な説明】
【０００１】
【発明の属する技術分野】
本発明は、文字や画像などの表示情報を表示する表示手段と、前記表示手段のバックライトとして作用する照射手段とを備えた表示端末ならびに前記表示端末にて実行されるプログラムに関する。
【０００２】
【発明が解決しようとする課題】
携帯電話機や携帯情報端末などの携帯端末は、例えば文字や画像などの表示情報を表示する液晶ディスプレイ（ＬＣＤ：Luquid Crystal Display）を備えると共に、液晶ディスプレイに表示される文字情報を明瞭にすべくバックライト用の例えばＬＥＤ（Light Emitting Diode）を備えて構成されているのが一般的である。
【０００３】
ところで、バックライト用のＬＥＤが例えば周知のライトガイド方式によって液晶ディスプレイを裏側から照射する透過型のものでは、バックライト用のＬＥＤが液晶ディスプレイを照射する照射レベルを相対的に大きく設定すると、周囲が極めて明るいような場合であっても、バックライト用のＬＥＤが照射する照射光が太陽光よりも相対的に強いことから、液晶ディスプレイに表示される表示情報が明瞭となり、表示情報を的確に認識することができるものの、周囲が相対的に暗いような場合には、照射光が太陽光よりも強過ぎることから、液晶ディスプレイに表示される表示情報を認識し難くなるという問題がある。
【０００４】
また、これとは反対に、バックライト用のＬＥＤが液晶ディスプレイを照射する照射レベルを相対的に小さく設定すると、周囲が相対的に暗いような場合であっても、照射光が太陽光に応じた適度の強さであることから、液晶ディスプレイに表示される表示情報を的確に認識することができるものの、周囲が極めて明るいような場合には、照射光が太陽光よりも弱過ぎることから、液晶ディスプレイに表示される表示情報を認識し難くなるという問題がある。
【０００５】
このような問題を解決することを目的として、ユーザが所定のキーを操作することに応じて、バックライト用のＬＥＤが液晶ディスプレイを照射する照射レベルを調整する構成が考えられているが、これでは、周囲の明るさが変化する都度、ユーザが照射レベルを調整するためにキーを操作する必要があり、その操作が煩わしいという問題がある。
【０００６】
本発明は、上記した事情に鑑みてなされたものであり、その目的は、照射手段が表示手段を照射する照射レベルを使用環境に応じて自動的に調整することができ、それによって、ユーザが表示手段に表示される表示情報を使用環境に応じて的確に認識することができる表示端末ならびにプログラムを提供することにある。
【０００７】
【課題を解決するための手段】
請求項１に記載した表示端末によれば、文字や画像などを表示する表示手段と、表示手段のバックライトとして作用する照射手段とを備えた表示端末において、照射レベル調整手段は、照射手段が表示手段を照射する照射レベルを方位検出手段が検出した表示手段の表示面の方位に基づいて調整するように構成したので、表示面の方位により、どのような使用環境であるかを推測することができることから、照射手段が表示手段を照射する照射レベルを使用環境に応じて自動的に調整することができ、これによって、ユーザは、表示手段に表示される表示情報を使用環境に応じて的確に認識することができる。
【０００８】
具体的には、例えば照射手段が表示手段を裏側から照射する透過型のものでは、方位が南向きであるような場合には、太陽光が液晶ディスプレイの表示面に十分に照射されていると推測することができ、このとき、照射手段が表示手段を照射する照射レベルを相対的に大きくなるように設定し、また、これとは反対に、方位が北向きであるような場合には、太陽光が液晶ディスプレイの表示面に十分に照射されていないと推測することができ、このとき、照射手段が表示手段を照射する照射レベルを相対的に小さくなるように設定しておくことによって、ユーザは、表示手段に表示される表示情報を使用環境に応じて的確に認識することができる。
【０００９】
請求項２に記載した表示端末によれば、照射レベル調整手段は、照射手段が表示手段を照射する照射レベルを、キー操作手段にてキーが操作されたタイミングや、人体が本体に配設されたタッチセンサに触れたタイミングなどで調整するように構成したので、ユーザがキーを操作したり或いはタッチセンサに触れたりした後では、ユーザが表示手段に表示される表示情報を見る可能性が高いことから、ユーザの動作に応じた的確なタイミングで照射レベルを調整することができ、これによって、ユーザは、キーを操作したり或いはタッチセンサに触れたりした後では、表示手段に表示される表示情報を使用環境に応じて速やかに的確に認識することができる。
【００１０】
請求項３に記載した表示端末によれば、照射レベル調整手段は、照射手段が表示手段を照射する照射レベルを、ページングチャネル検出手段が基地局からのページングチャネルを検出するタイミングや、リフレッシュ動作制御手段が表示手段に静電気対策のためのリフレッシュ動作を行わせるタイミングなどで調整するように構成したので、表示端末が例えば専用の置台に置かれていたり、鞄の中に収納されているような場合であっても、ユーザの動作に拘らず所定のタイミングで照射レベルを調整することができ、これによって、ユーザは、キーを操作したり或いはタッチセンサに触れたりしなくとも、表示手段に表示される表示情報を使用環境に応じて速やかに的確に認識することができる。
【００１１】
請求項４に記載したプログラムによれば、そのプログラムを、文字や画像などの表示情報を表示する表示手段と、前記表示手段のバックライトとして作用する照射手段とを備えた表示端末にインストールして実行すると、照射手段が表示手段を照射する照射レベルを方位検出手段が検出した前記表示手段の表示面の方位に基づいて調整する手順を実行するようになるので、上記した請求項１に記載したものと同様の作用効果を得ることができ、すなわち、ユーザは、表示手段に表示される表示情報を使用環境に応じて的確に認識することができる。
【００１２】
請求項５に記載したプログラムによれば、キー操作手段にてキーが操作されたタイミングや、人体が本体に配設されたタッチセンサに触れたタイミングなどになると、照射手段が表示手段を照射する照射レベルを方位検出手段が検出した表示手段の表示面の方位に基づいて調整する手順を実行するようになるので、上記した請求項２に記載したものと同様の作用効果を得ることができ、すなわち、ユーザは、キーを操作したり或いはタッチセンサに触れたりした後では、表示手段に表示される表示情報を使用環境に応じて速やかに的確に認識することができる。
【００１３】
請求項６に記載したプログラムによれば、基地局からのページングチャネルが検出されるタイミングや、表示手段が静電気対策のためのリフレッシュ動作を行うタイミングなどになると、照射手段が表示手段を照射する照射レベルを方位検出手段が検出した表示手段の表示面の方位に基づいて調整する手順を実行するようになるので、上記した請求項３に記載したものと同様の作用効果を得ることができ、すなわち、ユーザは、キーを操作したり或いはタッチセンサに触れたりしなくとも、表示手段に表示される表示情報を使用環境に応じて速やかに的確に認識することができる。
【００１４】
【発明の実施の形態】
以下、本発明の表示端末を、バックライトが液晶ディスプレイを裏側から照射するように構成された携帯電話機に適用した一実施例について、図面を参照して説明する。
【００１５】
まず、図２は、携帯電話機の外観斜視図を示している。携帯電話機１にあって、本体２の表面部には、送話音声を入力するマイクロホン３、受話音声を出力するスピーカ４、文字や画像などの表示情報を表示する液晶ディスプレイ５（本発明でいう表示手段）、「通話開始」キー、「通話終了」キー、「リダイヤル」キーおよび「０」〜「９」の「数字」キーなどの多数のキーを配列してなるキーパッド６（本発明でいうキー操作手段）ならびに着信したときなどに点滅するＬＥＤ（Light Emitting Diode）７が配設されている。また、液晶ディスプレイ５の裏側の所定部位には、バックライト用のＬＥＤ８（本発明でいう照射手段）が配設されており、バックライト用のＬＥＤ８は、液晶ディスプレイ５を裏側から照射するように構成されている。
【００１６】
本体２の裏面部には、着信したときに着信音（着信メロディを含む）を出力するサウンダ９が配設されている。また、本体２の上部には、電話用のアンテナ１０ならびにＧＰＳ（Grobal Positioning System ）用のアンテナ１１が配設されていると共に、本体２の両側面部には、タッチセンサ１２を構成する一対の電極１２ａ，１２ｂが配設されている。さらに、本体２の内部には、方位を検出する地磁気センサ１３（本発明でいう方位検出手段）が配設されている。
【００１７】
この場合、タッチセンサ１２は、例えば誤動作防止モードを自動的に解除することを主たる目的として配設されているものであり、すなわち、携帯電話機１においては、例えば鞄の中などに収納されている状態で、キーパッド６のいずれかのキーが鞄の中の収納物と接触することによって、携帯電話機１が誤動作してしまうことを回避するために誤動作防止機能を備えており、ユーザが携帯電話機１を手に持つと、タッチセンサ１２の電極１２ａ，１２ｂ間に人体を通じて微弱電流が流れ、誤動作防止モードが自動的に解除されるようになっている。
【００１８】
次に、図１は、上記した携帯電話機１の電気的な構成を機能ブロック図として示している。マイクロコンピュータを主体としてなるＣＰＵ（Central Processing Unit ）１４（本発明でいう照射レベル調整手段、ページングチャネル検出手段、リフレッシュ動作制御手段）には、電話処理を行う電話回路１５、ＧＰＳ電波の受信処理を行うＧＰＳ受信回路１６、携帯電話機１の動作全般を制御するプログラムを記憶しているＲＯＭ（Read Only Memory）１７、例えば発信履歴、着信履歴、アドレス帳ならびに所定区域の地図などの各種の情報を書込ならびに読出が可能なＲＡＭ（Random Access Memory）１８、上記したマイクロホン３、スピーカ４、液晶ディスプレイ５、キーパッド６、ＬＥＤ７、バックライト用のＬＥＤ８、サウンダ９、タッチセンサ１２ならびに地磁気センサ１３が接続されている。
【００１９】
この場合、ＧＰＳ受信回路１６は、複数のＧＰＳ衛星から送信された複数のＧＰＳ電波を受信し、それら受信した各ＧＰＳ電波に含まれているパラメータを演算して位置を取得すると共に、その受信したＧＰＳ電波に含まれている時刻情報を抽出して時刻を取得し、それら取得した位置を含む位置信号ならびに取得した時刻を含む時刻信号をＣＰＵ１４に出力する。ＣＰＵ１４は、ＧＰＳ受信回路１６から位置信号ならびに時刻信号を入力すると、それら入力した位置信号に含まれている位置ならびに時刻信号に含まれている時刻に基づいて位置の時系列的な変化を検出し、移動速度を算出する。また、ＧＰＳ受信回路１６は、ＧＰＳ電波を受信した際の受信感度を含む受信感度信号をもＣＰＵ１４に出力する。さらに、地磁気センサ１３は、方位を算出し、その算出した方位を含む方位信号をＣＰＵ１４に出力する。
【００２０】
キーパッド６は、いずれかのキーが操作されると、キー操作検出信号をＣＰＵ１４に出力する。タッチセンサ１２は、有効状態に設定されているときには、人体が電極１２ａ，１２ｂの双方に触れたことに応じて、電極１２ａ，１２ｂ間に人体を通じて微弱電流が流れると、通電検出信号をＣＰＵ１４に出力する。そして、ＣＰＵ１４は、携帯電話機１に電源が投入されているときに、キーパッド６からキー操作検出信号を入力したり或いはタッチセンサ１２から通電検出信号を入力すると、必要に応じてＲＡＭ１８から必要な区域の地図を読出し、ＧＰＳ受信回路１６から入力した位置信号に含まれている位置、ＧＰＳ受信回路１６から入力した時刻信号に含まれている時刻、それら位置ならびに時刻に基づいて算出した移動速度、ＧＰＳ受信回路１６から入力した受信感度信号に含まれているＧＰＳ電波の受信感度ならびに地磁気センサ１３から入力した方位信号に含まれている方位を総合的に評価し、その評価結果に基づいて、バックライト用のＬＥＤ８の動作電流を決定し、バックライト用のＬＥＤ８が液晶ディスプレイ５を照射する照射レベルを決定し、バックライト用のＬＥＤ８が当該決定した照射レベルで液晶ディスプレイ５を照射するように調光する。
【００２１】
また、ＣＰＵ１４は、携帯電話機１に電源が投入されているときに、基地局からのペ−ジングチャネルを間欠的に検出すると共に、液晶ディスプレイ５に静電気対策のリフレッシュ動作を間欠的に行わせるために、リフレッシュ信号を液晶ディスプレイ５に間欠的に出力するようになっており、これらペ−ジングチャネルを間欠的に検出するとき或いはリフレッシュ信号を液晶ディスプレイ５に出力するときにも、必要に応じてＲＡＭ１８から必要な区域の地図を読出し、ＧＰＳ受信回路１６から入力した位置信号に含まれている位置、ＧＰＳ受信回路１６から入力した時刻信号に含まれている時刻、それら位置ならびに時刻に基づいて算出した移動速度、ＧＰＳ受信回路１６から入力した受信感度信号に含まれているＧＰＳ電波の受信感度ならびに地磁気センサ１３から入力した方位信号に含まれている方位を総合的に評価し、その評価結果に基づいて、バックライト用のＬＥＤ８の動作電流を決定し、バックライト用のＬＥＤ８が液晶ディスプレイ５を照射する照射レベルを決定し、バックライト用のＬＥＤ８が当該決定した照射レベルで液晶ディスプレイ５を照射するように調光する。
【００２２】
次に、上記した構成の作用について、図３ないし図９も参照して説明する。尚、以下の説明においては、ＣＰＵ１４が実行するプログラムの手順に応じて、
（１）ＣＰＵ１４が調光タイミングを設定する処理
（２）ＣＰＵ１４が調光条件を設定する処理
（３）ＣＰＵ１４が調光タイミングにて調光条件にしたがって調光する処理
に分けて順次説明する。
【００２３】
（１）ＣＰＵ１４が調光タイミングを設定する処理
まず、ＣＰＵ１４が調光タイミングを設定する処理について、図３に示すフローチャートを参照して説明する。ＣＰＵ１４は、調光タイミングを設定する画面を表示させる操作が行われたことを検出すると（ステップＳ１にて「ＹＥＳ」）、図６に示すような調光タイミングを設定する画面を液晶ディスプレイ５に表示させる（ステップＳ２）。
【００２４】
さて、ここで、ユーザは、いずれかのキーが操作されたタイミング、人体がタッチセンサ１２に触れたタイミング、ＣＰＵ１４が基地局からのページングチャネルを検出するタイミング、ＣＰＵ１４が液晶ディスプレイ５に静電気対策のリフレッシュ動作を行わせるタイミングの個々について、調光タイミングとして設定するか否かを選択することができ、つまり、これらのタイミングのうちから少なくとも一つ以上を調光タイミングとして設定することができる。
【００２５】
すなわち、ＣＰＵ１４は、調光タイミングを設定する画面上で、「キー操作」を選択する操作が行われ、その選択された「キー操作」を調光タイミングとして設定する操作（図６では「＊（アスタリスク）」キーを押下する操作）が行われたことを検出すると（ステップＳ３にて「ＹＥＳ」）、いずれかのキーが操作されたタイミングを調光タイミングとして設定する（ステップＳ４）。また、ＣＰＵ１４は、調光タイミングを設定する画面上で、「タッチセンサ」を選択する操作が行われ、その選択された「タッチセンサ」を調光タイミングとして設定する操作が行われたことを検出すると（ステップＳ５にて「ＹＥＳ」）、人体がタッチセンサ１２に触れたタイミングを調光タイミングとして設定する（ステップＳ６）。
【００２６】
また、ＣＰＵ１４は、調光タイミングを設定する画面上で、「ページングチャネル」を選択する操作が行われ、その選択された「ページングチャネル」を調光タイミングとして設定する操作が行われたことを検出すると（ステップＳ７にて「ＹＥＳ」）、自己が基地局からのページングチャネルを検出するタイミングを調光タイミングとして設定する（ステップＳ８）。さらに、ＣＰＵ１４は、調光タイミングを設定する画面上で、「ＬＣＤのリフレッシュ」を選択する操作が行われ、その選択された「ＬＣＤのリフレッシュ」を調光タイミングとして設定する操作が行われたことを検出すると（ステップＳ９にて「ＹＥＳ」）、自己が液晶ディスプレイ５に静電気対策のリフレッシュ動作を行わせるタイミングを調光タイミングとして設定する（ステップＳ１０）。
【００２７】
（２）ＣＰＵ１４が調光条件を設定する処理
次に、ＣＰＵ１４が調光条件を設定する処理について、図４に示すフローチャートを参照して説明する。ＣＰＵ１４は、調光条件を設定する画面を表示させる操作が行われたことを検出すると（ステップＳ１１にて「ＹＥＳ」）、図７に示すような調光条件を設定する画面を液晶ディスプレイ５に表示させる（ステップＳ１２）。
【００２８】
さて、ここで、ユーザは、携帯電話機１の位置、時刻、ＧＰＳ電波の受信感度、携帯電話機１の移動速度ならびに液晶ディスプレイ５の表示面の方位の個々について、調光条件として設定するか否かを選択することができ、つまり、これらのうちから少なくとも一つ以上を調光条件として設定することができる。
【００２９】
すなわち、ＣＰＵ１４は、調光条件を設定する画面上で、「位置」を選択する操作が行われ、その選択された「位置」を調光条件として設定する操作（図７では「＊（アスタリスク）」キーを押下する操作）が行われたことを検出すると  （ステップＳ１３にて「ＹＥＳ」）、携帯電話機１の位置を調光条件として設定する（ステップＳ１４）。また、ＣＰＵ１４は、調光条件を設定する画面上で、「時刻」を選択する操作が行われ、その選択された「時刻」を調光条件として設定する操作が行われたことを検出すると（ステップＳ１５にて「ＹＥＳ」）、時刻を調光条件として設定する（ステップＳ１６）。
【００３０】
また、ＣＰＵ１４は、調光条件を設定する画面上で、「ＧＰＳ電波の受信感度」を選択する操作が行われ、その選択された「ＧＰＳ電波の受信感度」を調光条件として設定する操作が行われたことを検出すると（ステップＳ１７にて「ＹＥＳ」）、ＧＰＳ電波の受信感度を調光条件として設定する（ステップＳ１８）。また、ＣＰＵ１４は、調光条件を設定する画面上で、「移動速度」を選択する操作が行われ、その選択された「移動速度」を調光条件として設定する操作が行われたことを検出すると（ステップＳ１９にて「ＹＥＳ」）、携帯電話機１の移動速度を調光条件として設定する（ステップＳ２０）。さらに、ＣＰＵ１４は、調光条件を設定する画面上で、「ＬＣＤの方位」を選択する操作が行われ、その選択された「ＬＣＤの方位」を調光条件として設定する操作が行われたことを検出すると（ステップＳ２１にて「ＹＥＳ」）、液晶ディスプレイ５の表示面の方位を調光条件として設定する（ステップＳ２２）。
【００３１】
（３）ＣＰＵ１４が調光タイミングにて調光条件にしたがって調光する処理に
次に、ＣＰＵ１４が調光タイミングにて調光条件にしたがって調光する処理について、図５に示すフローチャートを参照して説明する。ＣＰＵ１４は、上記した（１）ＣＰＵ１４が調光タイミングを設定する処理において、いずれかのキーが操作されたタイミングを調光タイミングとして設定しているときには（ステップＳ３１にて「ＹＥＳ」）、いずれかのキーが操作されたか否かを判定し（ステップＳ３２）、また、人体がタッチセンサ１２に触れたタイミングを調光タイミングとして設定しているときには（ステップＳ３３にて「ＹＥＳ」）、人体がタッチセンサ１２に触れたか否かを判定する（ステップＳ３４）。
【００３２】
また、ＣＰＵ１４は、基地局からのページングチャネルを検出するタイミングを調光タイミングとして設定しているときには（ステップＳ３５にて「ＹＥＳ」）、基地局からのページングチャネルを検出するタイミングになったか否かを判定し（ステップＳ３６）、さらに、液晶ディスプレイ５に静電気対策のリフレッシュ動作を行わせるタイミングを調光タイミングとして設定しているときには（ステップＳ３７にて「ＹＥＳ」）、液晶ディスプレイ５に静電気対策のリフレッシュ動作を行わせるタイミングになったか否かを判定する（ステップＳ３８）。
【００３３】
ここで、ＣＰＵ１４は、いずれかのキーが操作されたタイミングを調光タイミングとして設定しており、いずれかのキーが操作されたことを検出すると（ステップＳ３２にて「ＹＥＳ」）、その時点で設定している調光条件を判定し（ステップＳ３９）、その時点で設定している調光条件により得られる総合的な評価に基づいて、バックライト用のＬＥＤ８の動作電流を決定し、バックライト用のＬＥＤ８が液晶ディスプレイ５を照射する照射レベルを決定する（ステップＳ４０）。
【００３４】
具体的には、ＣＰＵ１４は、その時点で、例えば携帯電話機１の位置、時刻、ＧＰＳ電波の受信感度、携帯電話機１の移動速度ならびに液晶ディスプレイ５の表示面の方位の全てを調光条件として設定していると仮定すると、ＲＡＭ１８から必要な区域の地図を読出し、ＧＰＳ受信回路１６から入力した位置信号に含まれている位置、ＧＰＳ受信回路１６から入力した時刻信号に含まれている時刻、ＧＰＳ受信回路１６から入力した受信感度信号に含まれているＧＰＳ電波の受信感度、算出した移動速度ならびに地磁気センサ１３から入力した方位信号に含まれている方位に基づいて、例えば図８中パターンＡに示すように、携帯電話機１の位置が「室外」であり、時刻が「昼間」であり、ＧＰＳ電波の受信感度が「相対的に強い」であり、携帯電話機１の移動速度が「相対的に遅い」であり、方位が「南向き」であることを検出すると、太陽光が液晶ディスプレイ５の表示面に十分に照射されていると推測し、本実施例では、バックライト用のＬＥＤ８が液晶ディスプレイ５を裏側から照射する透過型の構成であることから、バックライト用のＬＥＤ８の動作電流を相対的に大きく決定し、バックライト用のＬＥＤ８が液晶ディスプレイ５を照射する照射レベルを相対的に大きく決定する。
【００３５】
これに対して、ＣＰＵ１４は、例えば図８中パターンＢ〜Ｆに示すように、それぞれ携帯電話機１の位置が「室内」であったり、時刻が「夜間」であり、ＧＰＳ電波の受信感度が「相対的に弱い」であったり、携帯電話機１の移動速度が「相対的に速い」であったり、方位が「北向き」であることを検出すると、他の調光条件に拘らず、太陽光が液晶ディスプレイ５の表示面に十分に照射されていないと推測し、バックライト用のＬＥＤ８の動作電流を相対的に小さく決定し、バックライト用のＬＥＤ８が液晶ディスプレイ５を照射する照射レベルを相対的に小さく決定する。
【００３６】
そして、ＣＰＵ１４は、その時点で、バックライト用のＬＥＤ８に液晶ディスプレイ５を照射させているか否かを判定し（ステップＳ４１）、バックライト用のＬＥＤ８に液晶ディスプレイ５を照射させていなければ（ステップＳ４１にて「ＮＯ」）、バックライト用のＬＥＤ８に先に決定した照射レベルで液晶ディスプレイ５の照射を開始させる（ステップＳ４２）。これに対して、ＣＰＵ１４は、既にバックライト用のＬＥＤ８に液晶ディスプレイ５を照射させていれば、その照射レベルを、先に決定した照射レベルに変更させる（ステップＳ４３）。
【００３７】
そして、ＣＰＵ１４は、照射を停止すべきタイミングになったか否かを判定し（ステップＳ４４）、照射を停止すべきタイミングになったことを検出すると、（ステップＳ４４にて「ＹＥＳ」）、バックライト用のＬＥＤ８に液晶ディスプレイ５の照射を停止させる（ステップＳ４５）。尚、ここでいう照射を停止すべきタイミングとは、例えばバックライト用のＬＥＤ８が液晶ディスプレイ５の照射を開始してから、いずれのキーも操作されない状態ならびに人体がタッチセンサ１２に触れない状態が所定時間（例えば１０秒間）継続した時点のタイミングなどである。このような制御によって、携帯電話機１は、調光タイミングを設定する画面上で、「キー操作」が設定されると、これ以降、いずれのキーが操作されると、バックライト用のＬＥＤ８が液晶ディスプレイ５を照射する照射レベルを、その時点での使用環境に応じて調整することになる。
【００３８】
また、ＣＰＵ１４は、人体がタッチセンサ１２に触れたタイミングを調光タイミングとして設定しており、人体がタッチセンサ１２に触れたことを検出すると（ステップＳ３４にて「ＹＥＳ」）、これ以降、上記したステップＳ３９〜Ｓ４５の処理を実行する。このような制御によって、携帯電話機１は、調光タイミングを設定する画面上で、「タッチセンサ」が設定されると、これ以降、人体がタッチセンサ１２に触れると、バックライト用のＬＥＤ８が液晶ディスプレイ５を照射する照射レベルを、その時点での使用環境に応じて調整することになる。
【００３９】
また、ＣＰＵ１４は、基地局からのページングチャネルを検出するタイミングを調光タイミングとして設定しており、基地局からのページングチャネルを検出するタイミングになったことを検出すると（ステップＳ３６にて「ＹＥＳ」）、これ以降、上記したステップＳ３９〜Ｓ４５の処理を実行する。このような制御によって、携帯電話機１は、調光タイミングを設定する画面上で、「ページングチャネル」が設定されると、これ以降、ＣＰＵ１４が基地局からのページングチャネルを検出するタイミングになると、バックライト用のＬＥＤ８が液晶ディスプレイ５を照射する照射レベルを、その時点での使用環境に応じて調整することになる。
【００４０】
さらに、ＣＰＵ１４は、液晶ディスプレイ５に静電気対策のリフレッシュ動作を行わせるタイミングを調光タイミングとして設定しており、液晶ディスプレイ５に静電気対策のリフレッシュ動作を行わせるタイミングになったことを検出すると（ステップＳ３８にて「ＹＥＳ」）、これ以降、上記したステップＳ３９〜Ｓ４５の処理を実行する。このような制御によって、携帯電話機１は、調光タイミングを設定する画面上で、「ＬＣＤのリフレッシュ」が設定されると、これ以降、ＣＰＵ１４が基地局からのページングチャネルを検出するタイミングになると、バックライト用のＬＥＤ８が液晶ディスプレイ５を照射する照射レベルを、その時点での使用環境に応じて調整することになる。
【００４１】
ところで、以上は、バックライト用のＬＥＤ８が液晶ディスプレイ５を裏側から照射する透過型のものに適用した場合を説明したものであるが、バックライト用のＬＥＤが液晶ディスプレイを表側から照射する反射型のものに適用した場合には、反射型のものは、透過型のものとは異なって、太陽光を利用する構造であることから、図９に示すように、透過型のものとは反対となり、携帯電話機の位置が「室外」であり、時刻が「昼間」であり、ＧＰＳ電波の受信感度が「相対的に強い」であり、携帯電話機の移動速度が「相対的に遅い」であり、方位が「南向き」であることを検出したときには、太陽光が液晶ディスプレイの表示面に十分に照射されていると推測し、バックライト用のＬＥＤが液晶ディスプレイを照射する照射レベルを相対的に小さく決定し、これに対して、携帯電話機の位置が「室内」であったり、時刻が「夜間」であり、ＧＰＳ電波の受信感度が「相対的に弱い」であったり、携帯電話機の移動速度が「相対的に速い」であったり、方位が「北向き」であることを検出したときには、他の調光条件に拘らず、太陽光が液晶ディスプレイの表示面に十分に照射されていないと推測し、バックライト用のＬＥＤが液晶ディスプレイを照射する照射レベルを相対的に大きく決定することになる。
【００４２】
以上に説明したように本実施例によれば、携帯電話機１において、バックライト用のＬＥＤ８が液晶ディスプレイ５を照射する照射レベルを、携帯電話機１の位置、時刻、ＧＰＳ電波の受信感度、携帯電話機１の移動速度ならびに液晶ディスプレイ５の表示面の方位のうちの少なくともいずれか一つに基づいて調整するように構成したので、これら携帯電話機１の位置、時刻、ＧＰＳ電波の受信感度、携帯電話機１の移動速度ならびに液晶ディスプレイ５の表示面の方位により、どのような使用環境であるかを推測することができることから、これらを総合的に評価することによって、バックライト用のＬＥＤ８が液晶ディスプレイ５を照射する照射レベルを使用環境に応じて自動的に調整することができ、これによって、ユーザは、液晶ディスプレイ５に表示される表示情報を使用環境に応じて的確に認識することができる。
【００４３】
また、このようにバックライト用のＬＥＤ８が液晶ディスプレイ５を裏側から照射する透過型のものでは、例えば携帯電話機１の位置が「室内」であったり、時刻が「夜間」であり、ＧＰＳ電波の受信感度が「相対的に弱い」であったり、携帯電話機１の移動速度が「相対的に速い」であったり、方位が「北向き」であることを検出すると、他の調光条件に拘らず、太陽光が液晶ディスプレイ５の表示面に十分に照射されていないと推測し、バックライト用のＬＥＤ８の動作電流を相対的に小さく決定するように構成したので、バックライト用のＬＥＤ８の動作電流が必要以上に大きくなることがなく、携帯電話機１全体としての消費電流を抑えることをもできる。
【００４４】
また、このとき、バックライト用のＬＥＤ８が液晶ディスプレイ５を照射する照射レベルを、いずれかのキーが操作されたタイミングや、人体がタッチセンサ１２に触れたタイミングなどで調整するように構成したので、ユーザがキーを操作したり或いはタッチセンサ１２に触れたりした後では、ユーザが液晶ディスプレイ５に表示される表示情報を見る可能性が高いことから、ユーザの動作に応じた的確なタイミングで照射レベルを調整することができ、これによって、ユーザは、キーを操作したり或いはタッチセンサ１２に触れたりした後では、液晶ディスプレイ５に表示される表示情報を使用環境に応じて速やかに的確に認識することができる。
【００４５】
さらに、このとき、バックライト用のＬＥＤ８が液晶ディスプレイ５を照射する照射レベルを、ＣＰＵ１４が基地局からのページングチャネルを検出するタイミングや、ＣＰＵ１４が液晶ディスプレイ５に静電気対策のためのリフレッシュ動作を行わせるタイミングなどでも調整するように構成したので、携帯電話機１が例えば専用の置台に置かれていたり、鞄の中に収納されているような場合であっても、ユーザの動作に拘らず所定のタイミングで照射レベルを調整することができ、これによって、ユーザは、キーを操作したり或いはタッチセンサ１２に触れたりしなくとも、液晶ディスプレイ５に表示される表示情報を使用環境に応じて速やかに的確に認識することができる。
【００４６】
本発明は、上記した実施例にのみ限定されるものでなく、次のように変形または拡張することができる。
携帯電話機に適用する構成に限らず、携帯情報端末などの他のものに適用する構成であっても良い。
【００４７】
バックライト用のＬＥＤが液晶ディスプレイを裏側から照射する透過型のものや、バックライト用のＬＥＤが液晶ディスプレイを表側から照射する反射型のものに適用する構成に限らず、半透過型ものに適用する構成であっても良く、その場合には、その半透過型の特性に応じて照射レベルを決定するように構成すれば良い。
【００４８】
ＧＰＳ衛星から送信されたＧＰＳ電波の受信感度に限らず、基地局から送信された電話通信用の電波の受信感度に基づいて照射レベルを決定する構成であっても良い。
ＲＡＭに必要な区域の地図が記憶されていない場合には、必要な区域の地図をネットワークから受信する構成であっても良い。
【００４９】
いずれかのキーが操作されたタイミングが調光タイミングとして設定されているときに、いずれかのキーが操作される毎に調光する構成に限らず、例えばいずれかのキーが操作されて調光してから所定時間が経過するまでの間は、いずれかの別のキーが操作されたとしても、調光しない構成であっても良い。また、人体がタッチセンサに触れたタイミングが調光タイミングとして設定されているときに、人体がタッチセンサに触れる毎に調光する構成に限らず、例えば人体がタッチセンサに触れて調光してから所定時間が経過するまでの間は、人体がタッチセンサに再度触れたとしても、調光しない構成であっても良い。
【００５０】
調光条件の個々について、例えば携帯電話機の位置が室内であるときには「５点」、携帯電話機の位置が室内であるときには「１点」などのように、その時点での状態を点数化し、設定されている調光条件の総計点数に応じて、バックライト用のＬＥＤが液晶ディスプレイを照射する照射レベルを決定する構成であっても良い。
【００５１】
例えば時刻が「昼間」であり、且つ、方位が「南向き」である場合など、特定の調光条件の組合わせが所定条件を満たす場合には、他の調光条件に拘らず、バックライト用のＬＥＤが液晶ディスプレイを照射する照射レベルを相対的に大きく決定するなどの構成であっても良い。
【００５２】
携帯電話機が実行するプログラムは、最初（例えば製品化の段階）から携帯電話機に記憶されているものに限らず、例えば特定のサーバからネットワークを通じて携帯電話機にダウンロードされたり或いはＣＤ−ＲＯＭやカードなどの記録媒体から転送されてインストールされるものであっても良い。
【図面の簡単な説明】
【図１】本発明の一実施例を示す機能ブロック図
【図２】外観斜視図
【図３】フローチャート
【図４】図３相当図
【図５】図３相当図
【図６】表示の一例を示す図
【図７】図６相当図
【図８】調光条件と照射レベルとの相関関係を示す図
【図９】図８相当図
【符号の説明】
図面中、１は携帯電話機（表示端末）、２は本体、５は液晶ディスプレイ（表示手段）、６はキーパッド（キー操作手段）、８はバックライト用のＬＥＤ（照射手段）、１２はタッチセンサ、１３は地磁気センサ（方位検出手段）、１４はＣＰＵ（照射レベル調整手段、ページングチャネル検出手段、リフレッシュ動作制御手段）である。
【図１】
0003767416.tif 000002
【図２】
0003767416.tif 000003
【図３】
0003767416.tif 000004
【図４】
0003767416.tif 000005
【図５】
0003767416.tif 000006
【図６】
0003767416.tif 000007
【図７】
0003767416.tif 000008
【図８】
0003767416.tif 000009
【図９】
0003767416.tif 000010